(57)【要約】【課題】配線ユニット間の連結を容易にすることが可能な配線モジュールを提供する。【解決手段】正極及び負極の電極端子１２Ａ，１２Ｂを有する複数の単電池１１に取付けられて電池モジュール１０を構成する配線モジュール１３Ａであって、各単電池１１の電圧を検知するために設けられ単電池１１の電極端子１２Ａ，１２Ｂに電気的に接続される複数の電線Ｗと、各電線Ｗが配される複数の配線ユニット２１と、複数の配線ユニット２１を連結する連結部材４６と、を備える。【選択図】図２
2013168310.tif 000002
【特許請求の範囲】
【請求項１】
正極及び負極の端子を有する複数の単電池に取付けられて電池モジュールを構成する配線モジュールであって、
前記各単電池の状態を検知するために設けられ前記単電池の端子に電気的に接続される複数の電線と、
前記各電線が配される複数の配線ユニットと、
前記複数の配線ユニットを連結する連結部材と、を備える配線モジュール。
【請求項２】
前記連結部材は、前記配線ユニットの並び方向に延びる棒状をなす請求項１に記載の配線モジュール。
【請求項３】
前記各配線ユニットには、前記連結部材を保持する連結部材保持部が設けられている請求項１又は請求項２に記載の配線モジュール。
【請求項４】
前記連結部材保持部には、前記連結部材を前記配線ユニットの並び方向とは直交する方向から挿通可能な挿通部が設けられている請求項３に記載の配線モジュール。
【請求項５】
前記挿通部は、撓み変形により前記連結部材を前記配線ユニットの並び方向とは直交する方向から挿通可能とする撓み片を有するとともに、前記撓み片の復元変形により前記連結部材の離脱方向への移動を規制する係止部が設けられている請求項４に記載の配線モジュール。
【請求項６】
前記各配線ユニットには、前記電線を保持する電線保持部が設けられている請求項１ないし請求項５のいずれか一項に記載の配線モジュール。
【請求項７】
前記電線保持部は、溝底と一対の溝壁とを有し前記配線ユニットの連結方向に延びる電線通し溝部と、前記電線及び前記電線通し溝部に係合して前記電線の前記電線通し溝部からの離脱を規制する係合部と、を有する請求項６に記載の配線モジュール。
【請求項８】
前記係合部は、前記電線通し溝部に係合しつつ前記電線を包囲する結束バンドからなる請求項７に記載の配線モジュール。
【発明の詳細な説明】
【技術分野】
【０００１】
本発明は、配線モジュールに関する。
【背景技術】
【０００２】
電気自動車やハイブリッド車用の電池モジュールは、正極及び負極の電極端子を有する単電池が複数個並んで配列されており、隣り合う単電池の電極端子間がバスバー（接続部材）で接続されることにより複数の単電池が直列に接続されるようになっている（特許文献１参照）。
【０００３】
特許文献１では、接続部材の取付作業を簡素化等するために、複数の樹脂製の接続ユニットに接続部材を収容し、これら接続ユニット同士を連結した電池接続アセンブリが複数の単電池に一体的に装着されている。
【０００４】
この電池接続アセンブリは、各接続ユニットの並び方向の一方の側に設けられた係合部と、各接続ユニットの並び方向の他方の側に設けられた被係合部との係合により各接続ユニットが連結されており、係合部に係止孔を設け、被係合部としてＵ字状に湾曲した係止片を上方から係止孔に貫通させて係止させるようになっている。
【先行技術文献】
【特許文献】
【０００５】
【特許文献１】特開２０１１−８９５７号公報
【発明の概要】
【発明が解決しようとする課題】
【０００６】
しかしながら、特許文献１のように、係止片を係止孔の孔縁に係止させて接続ユニット（配線ユニット）間を連結して電池接続アセンブリ（配線モジュール）を形成する場合には、互いの接続ユニット間の位置合わせ等の作業が必要になり連結作業に手間がかかるという問題があった。
【０００７】
本発明は上記のような事情に基づいて完成されたものであって、配線ユニット間の連結を容易にすることが可能な配線モジュールを提供することを目的とする。
【課題を解決するための手段】
【０００８】
本発明は、正極及び負極の端子を有する複数の単電池に取付けられて電池モジュールを構成する配線モジュールであって、前記各単電池の状態を検知するために設けられ前記単電池の端子に電気的に接続される複数の電線と、前記各電線が配される複数の配線ユニットと、前記複数の配線ユニットを連結する連結部材と、を備えるところに特徴を有する。
【０００９】
本構成によれば、連結部材により隣り合う配線ユニット間が連結されるため、配線ユニットに隣り合う配線ユニットとの連結のための複雑な構成を設ける必要ない。よって、簡素な構成で配線ユニット間を連結することが可能となる。
【００１０】
上記構成の実施態様として以下の構成を有すれば好ましい。
・前記連結部材は、前記配線ユニットの並び方向に延びる棒状をなす。
このようにすれば、連結部材の構成を簡素化できるとともに、連結部材の取り扱いを容易にすることが可能になる。
【００１１】
・前記各配線ユニットには、前記連結部材を保持する連結部材保持部が設けられている。
このようにすれば、複数の配線ユニットの連結状態を保つことが容易になる。
【００１２】
・前記連結部材保持部には、前記連結部材を前記配線ユニットの並び方向とは直交する方向から挿通可能な挿通部が設けられている。
このようにすれば、連結部材により複数の配線ユニットを連結する作業を容易にすることが可能になる。
【００１３】
・前記挿通部は、撓み変形により前記連結部材を前記配線ユニットの並び方向とは直交する方向から挿通可能とする撓み片を有するとともに、前記撓み片の復元変形により前記連結部材の離脱方向への移動を規制する係止部が設けられている。
このようにすれば、連結部材により複数の配線ユニットを連結する作業を容易に行うことが可能になるとともに、連結部材を介して配線ユニットを確実に保持することが可能になる。
【００１４】
・前記各配線ユニットには、前記電線を保持する電線保持部が設けられている。
配線ユニットを連結部材で連結することで配線モジュールの複数の単電池への装着を容易にすることは可能であるが、例えば、配線ユニットが連結部材を軸として回転する等のように配線ユニットの姿勢が維持されない場合には、本構成のように、電線保持部が電線を保持することで、電線を介して配線ユニットの姿勢を保持することが可能になる。
【００１５】
・前記電線保持部は、溝底と一対の溝壁とを有し前記配線ユニットの連結方向に延びる電線通し溝部と、前記電線及び前記電線通し溝部に係合して前記電線の前記電線通し溝部からの離脱を規制する係合部と、を有する。
このようにすれば、簡素な構成で配線ユニットに電線を保持することができる。また、さらに、電線の配策の際には、電線を各電線通し溝部に通せばよいため、電線Ｗの配策作業を容易にすることができる。
【００１６】
・前記係合部は、前記電線通し溝部に係合しつつ前記電線を包囲する結束バンドからなる。
このようにすれば、簡素な構成で配線ユニットに電線を保持することができる。
【発明の効果】
【００１７】
本発明によれば、配線ユニット間の連結を容易にすることが可能となる。
【図面の簡単な説明】
【００１８】
【図１】実施形態の配線モジュールが取付けられた電池モジュールを示す平面図
【図２】配線モジュールを示す斜視図
【図３】配線ユニットに接続部材及び電圧検知端子が装着された状態を示す平面図
【図４】配線ユニットに接続部材及び電圧検知端が装着された状態を示す正面図
【図５】配線ユニットに接続部材及び電圧検知端子が装着された状態を示す左側面図
【図６】配線ユニットに接続部材及び電圧検知端子が装着された状態を示す右側面図
【図７】配線ユニットに接続部材及び電圧検知端子が装着された状態を示す背面図
【図８】連結部材を示す斜視図
【図９】複数の配線ユニットに電線端末に接続された電圧検知端子を装着した状態を示す平面図
【図１０】複数の配線ユニットを連結部材で連結した状態を示す平面図
【図１１】電線を結束バンドで結束して配線モジュールを形成した平面図
【発明を実施するための形態】
【００１９】
＜実施形態１＞
以下、本発明の実施形態１について図１〜図１１を参照しつつ説明する。
本実施形態の配線モジュール１３Ａ，１３Ｂは、図１に示すように、正極及び負極の電極端子１２Ａ，１２Ｂを有する複数個の単電池１１を並べて構成された単電池群に取付けられて電池モジュール１０を構成するものである。この電池モジュール１０は、例えば、電気自動車やハイブリッド自動車等の車両の駆動源として使用される。以下では、上下方向については、図１の紙面手前側を上方、紙面奥方を下方とし、前後方向については、図１の下方を前方、上方を後方として説明する。
【００２０】
（電池モジュール）
電池モジュール１０は、図１に示すように、横並びに配列された例えば８個（複数）の単電池１１と、８個の単電池１１に取付けられる複数の配線モジュール１３Ａ，１３Ｂとを備えて構成されている。
【００２１】
単電池１１は、内部に図示しない発電要素が収容された本体部の上端面から垂直に突出するボルト状の電極端子１２Ａ，１２Ｂ（正極を１２Ａ，負極を１２Ｂとして図示）を有する。
電極端子１２Ａ，１２Ｂ（端子）は、単電池１１の前後の端部に設けられており、前後の端部における極性は逆になっている。
【００２２】
また、各単電池１１の向きは、互いに隣り合う単電池１１の電極端子１２Ａ，１２Ｂが逆向きになるように配置されており、これにより、互いに異極の電極端子１２Ａ，１２Ｂが隣り合うように構成されている。これら複数の単電池１１は図示しない保持板によって固定されている。
【００２３】
（配線モジュール）
配線モジュール１３Ａ，１３Ｂは、単電池１１の前端側と後端側に取り付けられて複数の単電池１１を直列に接続するものである。配線モジュール１３Ａ，１３Ｂは、基本的構成は共通し、単電池１１の数に応じて後述する配線ユニット２１の連結数が異なるものであるため、以下では、配線モジュール１３Ａについて説明し、配線モジュール１３Ｂの説明は省略する。
【００２４】
配線モジュール１３Ａは、図２に示すように、６個（複数個）の単電池１１における隣り合う電極端子１２Ａ，１２Ｂ間を接続する３個（複数個）の接続部材１４と、各単電池１１の電圧（状態）を検知するために設けられ単電池１１の端子に電気的に接続される３本（複数本）の電線Ｗと、各接続部材１４及び電線Ｗの端末部が配される３個（複数個）の配線ユニット２１と、３個の配線ユニット２１を連結する棒状の連結部材４６と、を備えている。
【００２５】
（接続部材）
接続部材１４は、銅、銅合金、アルミニウム、アルミニウム合金、ステンレス鋼（ＳＵＳ）等の金属からなり、図３に示すように、概ね長方形状をなし、電極端子１２Ａ，１２Ｂが挿通される端子挿通孔１５，１５を有する。
【００２６】
（電線）
３本の電線Ｗは、共に、導体部の周囲が絶縁被覆で覆われてなる被覆電線であり、それぞれの端末部に電圧検知端子１６が取付られている。
【００２７】
電圧検知端子１６は、銅、銅合金、アルミニウム、アルミニウム合金、ステンレス鋼（ＳＵＳ）等の金属からなり、単電池１１の電極端子１２Ａ，１２Ｂの電圧を検出するために設けられており、平板状の板状部１７の後方に電線Ｗの端末部に接続された電線接続部２０を有する。
板状部１７は、前後方向に長い長方形状であって、中心部に円形状の挿通孔１８が貫通している。
【００２８】
板状部１７の先端の中央部には、前方に突出する係止片１９が形成されている。
電線接続部２０は、電線Ｗの端末の絶縁被覆を剥ぎ取り露出させた導体部を圧着しており、電線Ｗの導体部を一対のかしめ片でかしめて圧着するワイヤバレルを有する。
【００２９】
各電圧検知端子１６から延出された複数の電線Ｗは、後述する配線ユニット２１の電線通し溝部３９を連ねて構成された電線配策溝に集められ、配線ユニット２１の並び方向の一方の側に設けられた図示しない電池ＥＣＵに導かれる。電池ＥＣＵは、マイクロコンピュータ、素子等が搭載されたものであって、単電池１１の電圧・電流・温度等の検知、各単電池１１の充放電コントロール等を行うための機能を備えた周知の構成のものである。
【００３０】
（配線ユニット）
３個の配線ユニット２１は、合成樹脂製であって、共に同一形状となっており、接続部材１４を保持する接続部材保持部２２と、接続部材保持部２２の前端部に設けられ連結部材４６を保持する連結部材保持部２６と、電線Ｗを保持する電線保持部３８と、を備えており、隣り合う２個の単電池１１の上面に１個の配線ユニット２１が載置される。
【００３１】
接続部材保持部２２は、図示しない底板上に接続部材１４を保持するものであり、底板の縁部から立ち上がり接続部材１４を囲むように形成されてなる仕切り壁２３を有する。
底板は、仕切り壁２３を幅方向の中間部において連結しており、その両側は、電極端子１２Ａ，１２Ｂが進入可能な左右一対の開口部（図示しない）が形成されている。
【００３２】
仕切り壁２３は、工具がボルト等の締結部材や接続部材１４に接触して短絡することを防止するために、工具等の接触が防止される高さで接続部材１４を包囲するように接続部材１４の周囲に環状に立設されている。
【００３３】
仕切り壁２３には、接続部材１４を仕切り壁２３の内側に保持する一対の保持片２４Ａ，２４Ｂが設けられている。一対の保持片２４Ａ，２４Ｂは、下端部が仕切り壁２３の内側に爪状に突出しており、後方側の保持片２４Ｂは、仕切り壁２３にコ字状の切り欠きを貫通させることで、前後方向に撓み変形可能としている。この保持片２４Ａ，２４Ｂの下側に接続部材１４の周縁が配されることで接続部材１４の離脱が防止される。
【００３４】
前方側の仕切り壁２３には、図４に示すように、電圧検知端子１６の係止片１９が進入する進入孔２５が貫通形成されている。係止片１９が進入孔２５に配されることで、電圧検知端子１６の浮き（離脱）に対して係止片１９が進入孔２５の孔縁に係止されて浮きが防止される。
【００３５】
後方側の仕切り壁２３のうち、接続部３４に連なる部分は、図３に示すように、電圧検知端子１６の電線接続部２０を装着できるように、仕切り壁２３が分断されている。
なお、後方側の仕切り壁２３のうち、分断された部分の近傍は、電線Ｗを引っ張る力が生じた場合に、電圧検知端子１６の板状部１７の後端に係止し、電線Ｗに伴って電圧検知端子１６が離脱することを防止する。
【００３６】
連結部材保持部２６は、連結部材４６が挿通された状態で保持する一対の挿通部２７，２７を備えている。
各挿通部２７，２７は、接続部材保持部２２の前端における左右の端部に設けられており、図５に示すように、板材を下方に向けて略Ｌ字状に湾曲させた形状の撓み片３０を形成することで、撓み片３０と仕切り壁２３の外面との間に連結部材４６を挿通可能な挿通凹部３２を形成している。
挿通凹部３２には、連結部材４６を挿通凹部３２内に係止して連結部材４６の離脱を規制する一対の係止部３３，３３が設けられている。
係止部３３，３３は、挿通凹部３２における開口側の端部に内方側に突設されており、段差状に突出する段差部３３Ａと、段差部３３Ａから下方に向けて傾斜状に突出寸法が小さくなる傾斜部３３Ｂとを有する。
【００３７】
撓み片３０は、仕切り壁２３の外面（前端面）の上部から延出されており、仕切り壁２３に連なる基端部側から先端側に向けて板厚がわずかに薄肉となるように形成されることで板厚に応じた撓み変形が可能となっている。
この撓み片３０は、図４に示すように、一対の側壁２８，２８の間を板材２９Ａ，２９Ｂで連結して構成されており、一対の側壁２８，２８の間には、板材で連結されていない切欠部３１が形成されている。
【００３８】
連結部材４６は、図８に示すように、円柱状であって、軸方向における長さが複数の配線ユニット２１の並び方向における全長の長さよりもやや長くなっている。
接続部材保持部２２の後方には、図３に示すように、電線保持部３８との間を接続する接続部３４が延出されている。
接続部３４には、電線Ｗを電線保持部３８側に導出可能とする導出溝部３５が形成されている。
【００３９】
導出溝部３５は、溝底と、一対の溝壁とを備え、一対の溝壁の上端部には、電線Ｗを導出溝部３５内に保持する一対の保持爪部３６，３６が対向配置されている。
一対の保持爪部３６，３６の先端部の上面側には、テーパ状の案内部が先端側ほど肉薄となるように形成されている。
【００４０】
なお、接続部材保持部２２と電線保持部３８との間は、接続部３４と平行に３本の補強部３７で接続されている。
３個の補強部３７は、共に、上下方向に厚肉の板状をなしている。
【００４１】
電線保持部３８は、配線ユニット２１の並び方向に延びる電線通し溝部３９と、電線Ｗに係合して電線Ｗを電線通し溝部３９に保持する結束バンド４３（本発明の構成である「係合部」の一例）を有する。
電線通し溝部３９は、隣り合う配線ユニット２１の電線通し溝部３９と連なることで左右に延びる電線配策溝を構成するものであり、溝底と、溝底の延出方向の側縁から立ち上がり互いに対向配置された一対の溝壁とを有する。
【００４２】
一対の溝壁には、その上端部に、一対の離脱規制片４０，４０が対向配置されるとともに、各溝壁には、図７に示すように、結束バンド４３を挿通するための上下一対のバンド通し部４１Ａ，４１Ｂが溝壁を貫通している。
バンド通し部４１Ａ，４１Ｂは、結束バンド４３を通すことが可能な矩形状の孔であり、上方側のバンド通し部４１Ａは、溝壁の上端縁を切り欠いて形成されている。
【００４３】
バンド通し部４１Ａ，４１Ｂは、図３に示すように、電線通し溝部３９の溝壁における離脱規制片４０，４０の左右にそれぞれ設けられている。
一対の離脱規制片４０，４０間の寸法は、一対の離脱規制片４０，４０間からの電線Ｗの挿通を可能としつつ、電線Ｗの離脱を規制可能な寸法が設定される。
【００４４】
一対の離脱規制片４０，４０の先端部の上面側には、離脱規制片４０，４０の先端部を先細とするテーパ状の案内部が形成されている。
接続部３４側の溝壁には、電線Ｗを導出溝部３５から導出するために溝壁が分断されている。
【００４５】
結束バンド４３は、図３に示すように、帯状に延びるバンド本体４４と、バンド本体４４の端部に設けられバンド本体４４の結束状態を保持する結束保持部４５とを有する。
バンド本体４４には、バンド本体４４の延出方向と直交する方向に延びる突条（図示しない）がバンド本体４４の延出方向に多数設けられている。
【００４６】
結束保持部４５は、直方体状であって、バンド本体４４を挿通可能な通し孔４５Ａと、通し孔４５Ａに通されたバンド本体４４の突条に係止して結束状態に保持するバンド係止部（図示しない）が設けられている。
【００４７】
次に、配線モジュール１３Ａの組み付けについて説明する。
３個の電圧検知端子１６について、３本の電線Ｗの各端末部において露出させた導体部に電線接続部２０を圧着する。
また、３個の配線ユニット２１を並べて各配線ユニット２１の各接続部材保持部２２に各接続部材１４を上方から嵌め入れて保持させる。
また、各電線Ｗの端末部に取り付けられた各電圧検知端子１６を接続部材保持部２２において接続部材１４の上に装着し、各電線Ｗを一対の保持爪部３６，３６間を通して各導出溝部３５に通すとともに、各離脱規制片４０，４０間に通して電線通し溝部３９を連ねた電線配策溝に配策して電池ＥＣＵ側へ導出する（図９）。
【００４８】
そして、連結部材４６を各配線ユニット２１の各挿通凹部３２に下方（開口側）から撓み片３０を撓み変形させて挿通する。このとき、撓み片３０の復元変形により、係止部３３，３３に係止されて連結部材４６の離脱が規制される。これにより、隣り合う複数の配線ユニット２１が連結部材４６で連結された状態となる（図１０）。
【００４９】
そして、各配線ユニット２１の後方側からバンド通し部４１Ａ，４１Ｂに結束バンド４３を通し、電線Ｗを包囲するように結束バンド４３を結束させる（図１１）。
これにより、配線モジュール１３Ａが形成される。また、上記と同様に配線モジュール１３Ｂについても形成する。
【００５０】
そして、各配線モジュール１３Ａ，１３Ｂを、各接続部材１４の端子挿通孔１５，１５及び各電圧検知端子１６の挿通孔１８が、複数の単電池１１の各電極端子１２Ａ，１２Ｂに挿通して装着する。
そして、電極端子１２Ａ，１２Ｂに、ソケットレンチ等の工具を用いて図示しない締結部材であるナット（図示しない）を電極端子１２Ａ，１２Ｂに螺合させて締付ける。全てを締付けると、電池モジュール１０が完成する（図１）。
【００５１】
上記実施形態の構成によれば、以下の作用・効果を奏する。
本実施形態によれば、連結部材４６により隣り合う配線ユニット２１間が連結されるため、配線ユニット２１に隣り合う配線ユニット２１との連結のための複雑な構成を設ける必要ない。よって、簡素な構成で配線ユニット２１間を連結することが可能となる。
【００５２】
また、各配線ユニット２１には、連結部材４６を保持する連結部材保持部２６が設けられているため、複数の配線ユニット２１の連結状態を保つことが容易になる。
【００５３】
さらに、連結部材４６は、配線ユニット２１の並び方向に延びる棒状をなすため、連結部材４６の構成を簡素化できるとともに、連結部材４６の取り扱いを容易にすることが可能になる。
【００５４】
また、連結部材保持部２６には、連結部材４６を配線ユニット２１の並び方向とは直交する方向から挿通可能な挿通部２７，２７が設けられているため、連結部材４６により複数の配線ユニット２１を連結する作業を容易にすることが可能になる。
【００５５】
さらに、挿通部２７，２７は、撓み変形により連結部材４６を配線ユニット２１の並び方向とは直交する方向から挿通可能とする撓み片３０を有するとともに、撓み片３０の復元変形により連結部材４６の離脱方向への移動を規制する係止部３３，３３が設けられている。
このようにすれば、連結部材４６により複数の配線ユニット２１を連結する作業を容易に行うことが可能になるとともに、連結部材４６を介して配線ユニット２１を確実に保持することが可能になる。
【００５６】
また、各配線ユニット２１には、電線Ｗを保持する電線保持部３８が設けられている。
配線ユニット２１を連結部材４６で連結することで配線モジュール１３Ａの複数の単電池１１への装着を容易にすることは可能であるが、例えば、配線ユニット２１が連結部材４６を軸として回転する等のように配線ユニット２１の姿勢が維持されない場合には、本構成のように、電線保持部３８が電線Ｗを保持することで、電線Ｗを介して配線ユニット２１の姿勢を保持することが可能になる。
【００５７】
さらに、電線保持部３８は、溝底と一対の溝壁とを有し配線ユニット２１の連結方向に延びる電線通し溝部３９と、電線Ｗ及び電線通し溝部３９に係合して電線Ｗの電線通し溝部３９からの離脱を規制する結束バンド４３（係合部）と、を有するため、簡素な構成で配線ユニット２１に電線Ｗを保持することができる。  また、電線Ｗの配策の際には、電線Ｗを各電線通し溝部３９に通せばよいため、電線Ｗの配策作業を容易にすることができる。
【００５８】
また、係合部は、電線通し溝部３９に係合しつつ電線Ｗを包囲する結束バンド４３からなるため、簡素な構成で配線ユニット２１に電線Ｗを保持することができる。
【００５９】
＜他の実施形態＞
本発明は上記記述及び図面によって説明した実施形態に限定されるものではなく、例えば次のような実施形態も本発明の技術的範囲に含まれる。
（１）上記実施形態では、撓み片３０を撓み変形させて連結部材４６を挿通凹部３２に挿通する構成としたが、これに限らず、配線ユニット２１の連結方向に沿った方向（挿通凹部３２の軸方向）から（撓み片３０を撓み変形させずに）連結部材４６を挿通部２７，２７に挿通して配線ユニット２１を連結するようにしてもよい。
【００６０】
（２）上記実施形態では、電線Ｗを配索した後に、連結部材４６で配線ユニット２１を連結する構成としたが、これに限らず、連結部材４６で配線ユニット２１を連結した後に、電線Ｗを配索してもよい。
【００６１】
（３）上記実施形態では、電線Ｗを保持するために結束バンド４３等からなる電線保持部３８を設ける構成としたが、電線保持部３８を設けない構成としてもよい。
（４）上記実施形態では、結束バンド４３を用いて電線Ｗを保持する構成としたが、これに限られない。例えば、電線保持部として、溝壁と一体に形成された係合片に係合させて電線Ｗを保持するようにしてもよい。この場合の係合片は、溝壁との間に電線Ｗが挿通される空間を形成するようにしたり、溝壁側に電線Ｗを挟持可能に形成してもよい。また、この係合片を溝壁の面から離間する方向に撓み変形可能とすれば、電線Ｗを係合片に保持させる作業を容易にすることができる。
【００６２】
（５）上記実施形態では、電圧検知端子１６を接続部材保持部２２において接続部材１４に重ねて配置したが、これに限られず、例えば、接続部材１４とは異なる位置に配置してもよい。例えば、単電池１１に電極端子１２Ａ，１２Ｂとは別に電圧検知用の端子が設けられる場合には、この電圧検知用の端子に対応する位置に電圧検知端子を設けるようにすればよい。この場合、配線モジュール１３Ａ，１３Ｂが接続部材１４を保持するようにしてもよいが、配線モジュールが接続部材１４を保持せず、例えば、（電圧検知用の端子に対応して設けられた）複数の電圧検知端子のみを保持するようにしてもよい。
【００６３】
（６）上記実施形態では、接続部材１４は、異極の電極端子１２Ａ，１２Ｂを接続（直列接続）するものとしたが、これに限られず、同極の電極端子１２Ａ（１２Ｂ）を接続（並列接続）するものでもよい。例えば、上記実施形態の直列接続される複数の単電池１１に更に別の単電池１１を並列接続し、この並列接続における同極の電極端子１２Ａ（１２Ｂ）を接続部材１４で接続するようにしたものでもよい。
【００６４】
（７）電池モジュール１０を構成する単電池１１の数については、上記実施形態の個数に限られず、配線モジュール１３Ａ，１３Ｂについても単電池１１の個数に応じて適宜形状を変更することができる。
（８）上記実施形態では、電線Ｗの端末部には、電圧検知端子１６が取付けられる構成としたが、これに限られず、例えば、電圧検知端子を有さず、電線Ｗの導体部が接続部材１４に溶接、圧着等の公知の接続手段により直接的に接続されるようにしてもよい。
【符号の説明】
【００６５】
１０…電池モジュール
１１…単電池
１２Ａ，１２Ｂ…電極端子（端子）
１３Ａ，１３Ｂ…配線モジュール
１４…接続部材
１５，１５…端子挿通孔
１６…電圧検知端子
１８…挿通孔
２１…配線ユニット
２２…接続部材保持部
２３…仕切り壁
２６…連結部材保持部
２７…挿通部
２８…側壁
３０…撓み片
３２…挿通凹部
３３…係止部
３３Ａ…段差部
３３Ｂ…傾斜部
３４…接続部
３８…電線保持部
３９…電線通し溝部
４１Ａ，４１Ｂ…バンド通し部
４３…結束バンド（係合部）
４４…バンド本体
４５…結束保持部
４５Ａ，４５Ｂ…通し孔
４６…連結部材
Ｗ…電線
【図１】
2013168310.tif 000003
【図２】
2013168310.tif 000004
【図３】
2013168310.tif 000005
【図４】
2013168310.tif 000006
【図５】
2013168310.tif 000007
【図６】
2013168310.tif 000008
【図７】
2013168310.tif 000009
【図８】
2013168310.tif 000010
【図９】
2013168310.tif 000011
【図１０】
2013168310.tif 000012
【図１１】
2013168310.tif 000013